(57)【要約】【課題】サービス内容を遅延出力可能となっているデジタル放送受信機１０において、遅延時間解消の明示的操作をユーザに行わせることなく、かつユーザに不都合となることなく、遅延時間解消を図る。【解決手段】記憶手段１１はデジタル放送のサービス内容を記憶する。遅延出力手段１２は、記憶手段１１から記憶内容を読み出して、サービス内容の遅延出力を実施する。属性内容検出手段１３は遅延出力中のサービス内容の属性内容を検出する。遅延時間制御手段１６は、遅延出力中のサービス内容の属性内容が変化すると、有効出力選択手段１５を介して有効出力を遅延出力から実時間出力へ切り替える。【選択図】      図１
2004235933.tif 000002
【特許請求の範囲】
【請求項１】
デジタル放送に含まれるサービス内容を記憶する記憶手段、前記記憶手段に記憶したサービス内容を読み出して再生することにより該サービス内容をその受信時刻より遅延して出力する遅延出力を実施可能になっている遅延出力手段、
遅延出力中のサービス内容の属性内容を検出する属性内容検出手段、
現在、選択中のサービスについてのサービス内容を実時間で出力する実時間出力を実施可能になっている実時間出力手段、
遅延出力及び及び実時間出力の一方を有効出力として選択する有効出力選択手段、及び
遅延出力期間に、遅延出力中のサービス内容の属性内容が変化したときは遅延出力の遅延時間を減少させるか前記有効出力選択手段に有効出力を遅延出力から実時間出力へ切り替えさせるかする遅延時間制御手段、
を有していることを特徴とするデジタル放送受信機。
【請求項２】
遅延出力期間に遅延出力中のサービス内容の属性内容が変化したときに遅延出力の遅延時間を減少することの可否についてのユーザ設定を管理する管理手段、
を有し、
前記遅延時間制御手段は、ユーザ設定が許可のときのみ、遅延時間の減少又は遅延出力から実時間出力への有効出力切替を実施することを特徴とする請求項１記載のデジタル放送受信機。
【請求項３】
前記サービスはオーディオサービスであり、サービス内容の属性には、該サービス内容のジャンル、曲名、アーティスト名、及び／又は該サービス内容が前記記憶手段において記憶されているトラックの番号が含まれることを特徴とする請求項１又は２記載のデジタル放送受信機。
【請求項４】
前記有効出力選択手段が、有効出力を遅延出力から実時間出力へ切り替えた場合には、切替前に遅延出力されていたサービス内容の属性内容と同一の属性内容をもつサービス内容に係る記憶を前記記憶手段から削除する削除手段、
を有していることを特徴とする請求項１〜３のいずれかに記載のデジタル放送受信機。
【請求項５】
デジタル放送に含まれるサービス内容を記憶する記憶手段、前記記憶手段に記憶したサービス内容を読み出して再生することにより該サービス内容をその受信時刻より遅延して出力する遅延出力を実施可能になっている遅延出力手段、
現在、選択中のサービスについてのサービス内容を実時間で出力する実時間出力を実施可能になっている実時間出力手段、
遅延出力及び及び実時間出力の一方を有効出力として選択する有効出力選択手段、
ユーザが選択サービスを切り替えたことを検出するサービス切替検出手段、及び
遅延出力期間にユーザが選択サービスを切り替えたときは、前記有効出力選択手段に有効出力を遅延出力から実時間出力へ切り替えさせる遅延時間制御手段、を有していることを特徴とするデジタル放送受信機。
【請求項６】
前記遅延時間制御手段が、前記有効出力選択手段に有効出力を遅延出力から実時間出力へ切り替えさせたときは、切替前に遅延出力していたサービスに係る全サービス内容を前記記憶手段から削除する削除手段、
を有していることを特徴とする請求項５記載のデジタル放送受信機。
【請求項７】
デジタル放送に含まれるサービス内容を記憶手段に記憶する記憶ステップ、
前記記憶手段に記憶したサービス内容を読み出して再生することにより該サービス内容をその受信時刻より遅延して出力する遅延出力を実施する遅延出力ステップ、
遅延出力しているサービス内容の属性内容を検出する属性内容検出ステップ、及び
遅延出力中のサービス内容の属性内容が変化したときは遅延出力の遅延時間を減少させるか現在選択中のサービスを実時間で出力する実時間出力へ遅延出力から切り替えるかする遅延時間制御ステップ、
を有していることを特徴とするデジタル放送受信方法。
【請求項８】
遅延出力中のサービス内容の属性内容が変化したときに遅延出力の遅延時間を減少することの可否についてのユーザ設定を管理しユーザ設定が許可のときのみ、前記遅延時間制御ステップの実行を許容する管理ステップ、を有していることを特徴とする請求項７記載のデジタル放送受信方法。
【請求項９】
前記サービスはオーディオサービスであり、サービス内容の属性には、該サービス内容のジャンル、曲名、アーティスト名、及び／又は該サービス内容が前記記憶手段において記憶されているトラックの番号が含まれることを特徴とする請求項７又は８記載のデジタル放送受信方法。
【請求項１０】
遅延出力から実時間出力へ切り替えた場合には、切替前に遅延出力していたサービス内容の属性内容と同一の属性内容をもつサービス内容に係る記憶を前記記憶手段から削除する前記遅延時間制御ステップ、
を有していることを特徴とする請求項７〜９のいずれかに記載のデジタル放送受信方法。
【請求項１１】
デジタル放送に含まれるサービス内容を記憶手段に記憶する記憶ステップ、
前記記憶手段に記憶したサービス内容を読み出して再生することにより該サービス内容をその受信時刻より遅延して出力する遅延出力を実施する遅延出力ステップ、
ユーザが選択サービスを切り替えたことを検出するサービス切替検出ステップ、及び
前記遅延出力期間にユーザが選択サービスを切り替えたときは、現在選択中のサービスを実時間で出力する実時間出力へ遅延出力から切り替える出力切替ステップ、
を有していることを特徴とするデジタル放送受信方法。
【請求項１２】
遅延出力から実時間出力へ切り替えた場合には、切替前に遅延出力していたサービスに係る全サービス内容を前記記憶手段から削除する前記出力切替ステップ、
を有していることを特徴とする請求項１１記載のデジタル放送受信方法。
【請求項１３】
請求項７〜１２のいずれかのデジタル放送受信方法における各ステップをコンピュータに実行させることを特徴とするデジタル放送受信用プログラム。
【発明の詳細な説明】
【０００１】
【発明の属する技術分野】
本発明は、ＤＡＢ（Ｄｉｇｉｔａｌ  Ａｕｄｉｏ  Ｂｒｏａｄｃａｓｔｉｎｇ：ディジタルオーディオ放送）等のディジタル放送を受信するディジタル放送受信機、ディジタル放送受信方法及びディジタル放送受信用プログラムに係り、詳しくはサービス内容を遅延して再生可能になっているディジタル放送受信機、ディジタル放送受信方法及びディジタル放送受信用プログラムに関するものである。
【０００２】
【従来の技術】
特許文献１は、デジタルオーディオ放送内容を記憶しておき、ユーザが、デジタルオーディオ放送内容について現時点からではなく所定時間前の時点から聞きたいときには、記憶したデジタルオーディオ放送内容を遅延出力することを開示する。
【０００３】
【特許文献１】
特許第３１３５５１４号公報
【０００４】
【発明が解決しようとする課題】
特許文献１には、デジタル放送受信機の遅延出力の解消についてはなんら説明がなされていない。遅延出力中にユーザのさらなる遅延出力の指示を受け付けることは困難であるので、ユーザの次の遅延出力の指示までにデジタル放送内容の出力を実時間（ｒｅａｌ  ｔｉｍｅ）出力へ戻しておく必要がある。また、デジタルオーディオ放送内容を記憶するメモリの容量には制約があるので、メモリにおける不要な記憶が削除されないと、受信中のデジタルオーディオ放送内容をメモリへ記憶することが困難となり、遅延出力を維持することができない。一方、明示的なユーザ操作により遅延出力を解消することは、特に、自動車搭載のデジタルオーディオ放送受信機では、非能率的である。また、明示的なユーザ操作が無くても、自動的に遅延出力を解消するようにした場合、その自動解消時期がユーザにとって不都合なことがある。
【０００５】
本発明の目的は、サービス内容の遅延出力可能なデジタル放送受信機において、遅延時間解消の明示的な操作をユーザに行わせることなく、かつユーザに不都合となることなく、遅延時間解消を図るディジタル放送受信機、ディジタル放送受信方法及びディジタル放送受信用プログラムを提供することである。
【０００６】
【課題を解決するための手段】
本発明のデジタル放送受信機は次のものを有している。
・デジタル放送に含まれるサービス内容を記憶する記憶手段。
・前記記憶手段に記憶したサービス内容を読み出して再生することにより該サービス内容をその受信時刻より遅延して出力する遅延出力を実施可能になっている遅延出力手段。
・遅延出力中のサービス内容の属性内容を検出する属性内容検出手段。
・現在、選択中のサービスについてのサービス内容を実時間で出力する実時間出力を実施可能になっている実時間出力手段。
・遅延出力及び及び実時間出力の一方を有効出力として選択する有効出力選択手段。
・遅延出力期間に、遅延出力中のサービス内容の属性内容が変化したときは遅延出力の遅延時間を減少させるか前記有効出力選択手段に有効出力を遅延出力から実時間出力へ切り替えさせるかする遅延時間制御手段。
【０００７】
本発明の別のデジタル放送受信機は次のものを有している。
・デジタル放送に含まれるサービス内容を記憶する記憶手段。
・前記記憶手段に記憶したサービス内容を読み出して再生することにより該サービス内容をその受信時刻より遅延して出力する遅延出力を実施可能になっている遅延出力手段。
・現在、選択中のサービスについてのサービス内容を実時間で出力する実時間出力を実施可能になっている実時間出力手段。
・遅延出力及び及び実時間出力の一方を有効出力として選択する有効出力選択手段。
・ユーザが選択サービスを切り替えたことを検出するサービス切替検出手段。
・遅延出力期間にユーザが選択サービスを切り替えたときは、前記有効出力選択手段に有効出力を遅延出力から実時間出力へ切り替えさせる遅延時間制御手段。
【０００８】
本発明のデジタル放送受信方法は次のステップを有している。
・デジタル放送に含まれるサービス内容を記憶手段に記憶する記憶ステップ。
・前記記憶手段に記憶したサービス内容を読み出して再生することにより該サービス内容をその受信時刻より遅延して出力する遅延出力を実施する遅延出力ステップ。
・遅延出力しているサービス内容の属性内容を検出する属性内容検出ステップ。
・遅延出力中のサービス内容の属性内容が変化したときは遅延出力の遅延時間を減少させるか現在選択中のサービスを実時間で出力する実時間出力へ遅延出力から切り替えるかする遅延時間制御ステップ。
【０００９】
本発明の別のデジタル放送受信方法は次のステップを有している。
・デジタル放送に含まれるサービス内容を記憶手段に記憶する記憶ステップ。
・前記記憶手段に記憶したサービス内容を読み出して再生することにより該サービス内容をその受信時刻より遅延して出力する遅延出力を実施する遅延出力ステップ。
・ユーザが選択サービスを切り替えたことを検出するサービス切替検出ステップ。
・前記遅延出力期間にユーザが選択サービスを切り替えたときは、現在選択中のサービスを実時間で出力する実時間出力へ遅延出力から切り替える出力切替ステップ。
【００１０】
本発明のデジタル放送受信用プログラムは、デジタル放送受信方法における各ステップをコンピュータに実行させる。
【００１１】
【発明の実施の形態】
図１はデジタル放送受信機１０の機能ブロック図である。記憶手段１１は、デジタル放送に含まれるサービス内容を記憶する。遅延出力手段１２は、記憶手段１１に記憶したサービス内容を読み出して再生することにより、該サービス内容をその受信時刻より遅延して出力する遅延出力を実施可能になっている。属性内容検出手段１３は、遅延出力手段１２が出力しているサービス内容の属性内容を検出する。実時間出力手段１４は、現在、選択中のサービスについてのサービス内容を実時間で出力する実時間出力を実施可能になっている。有効出力選択手段１５は、遅延出力手段１２及び実時間出力手段１４の一方の出力を有効にさせる。遅延時間制御手段１６は、遅延出力期間に、遅延出力中のサービス内容の属性内容が変化したときは、遅延出力の遅延時間を減少させるか有効出力選択手段１５に有効出力を遅延出力から実時間出力へ切り替えさせるかする。
【００１２】
デジタル放送は、デジタルオーディオ放送に限定されず、デジタルテレビ放送も含むものとする。記憶手段１１はＩＣメモリ、ＤＶＤ−ＲＡＭ、ＭＤ、ハードで装置等である。記憶手段１１は、例えば、データを再生しつつ、新たなデータを書き込み自在になっている。ＤＶＤ−ＲＡＭやＭＤ等の光ディスクは、各時点では、読み込み及び書き込みの一方であるが、倍速で読み書き可能な場合には、サービス内容を１倍速で再生しつつ、１倍速で受信する新たなサービス内容を書き込むことができる。典型的なデジタル放送は複数のサービスを含む。記憶手段１１は複数個、設けられ、共通のアンサンブル内の各サービスを各記憶手段１１に同時に記憶することも可能である。遅延時間制御手段１６は、有効出力選択手段１６に有効出力を遅延出力から実時間出力へ切り替えさせることは、遅延時間を０にすることを意味する。遅延時間制御手段１６は、遅延時間を一気に０にしないで、遅延出力手段１２から出力中のサービス内容の属性内容が変化するごとに、属性内容に関係した又は独立の所定量ずつ遅延時間を減少させることにより、遅延時間を段階的に０にすることもできる。
【００１３】
デジタル放送受信機にはデジタルオーディオ放送受信機を含み、デジタルオーディオ放送受信機には自動車に搭載されるデジタルオーディオ放送受信機を含む。デジタルオーディオ放送受信機では、オーディオサービスは記憶手段１１において例えばＭＰ３の規格に基づき記憶される。
【００１４】
デジタル放送受信機１０のユーザは、サービスについて遅延出力から実時間（ｒｅａｌ  ｔｉｍｅ）出力へ切り替える明示的な操作を行うことなく、遅延出力中のサービス内容についての属性内容の変化に伴い自動的に実時間出力へ変更されることになるので、デジタル放送受信機１０の操作性が向上する。そして、ユーザが次に遅延出力を希望するときには、デジタル放送受信機１０はすでに実時間出力となっているので、円滑に、遅延出力を実施できる。
【００１５】
図２は図１のデジタル放送受信機１０に機能を追加したものである。図１との相違点についてのみ説明する。管理手段２０は、遅延出力期間に遅延出力中のサービス内容の属性内容が変化したときに遅延出力の遅延時間を減少することの可否についてのユーザ設定を管理する。遅延時間制御手段１６は、ユーザ設定が許可のときのみ、遅延時間の減少又は遅延出力から実時間出力への有効出力の切替を実施する。
【００１６】
結果、図２のデジタル放送受信機１０では、ユーザが遅延時間減少を禁止する設定をしている場合には、遅延出力期間に遅延出力中のサービス内容の属性内容が変化しても、遅延時間は変更されない。
【００１７】
典型的には、サービスはオーディオサービスであり、サービス内容の属性には、例えば、該サービス内容のジャンル、曲名、アーティスト名、及び／又は該サービス内容が記憶手段１１において記憶されているトラックの番号が含まれる。なお、属性内容とは、各属性の内容という意味であり、属性が曲名である場合には、その属性内容は例えば、曲名Ａ、曲名Ｂ、・・・と言うものであり、また、属性がアーティスト名である場合には、その属性内容は例えば、アーティストＵ、アーティストＶ、アーティストＷ、・・・と言うものである。
【００１８】
ＤＡＢでは、オーディオサービスにおいて、オーディオ自体と共に、その曲名やアーティスト名等の属性情報が伝送され、ＭＰ３では、オーディオ内容自体と共に、それに関連付けて該オーディオ内容の属性情報をタグ情報として記憶するようになっている。
【００１９】
削除手段２１は、有効出力選択手段１５が、有効出力を遅延出力から実時間出力へ切り替えた場合には、切替前に遅延出力されていたサービス内容の属性内容と同一の属性内容をもつサービス内容に係る記憶を記憶手段１１から削除する。
【００２０】
削除手段２１及び後述の削除手段３２（図３）による削除には、記憶手段１１における削除該当部分の消去だけでなく、削除該当部分の記憶領域を上書き許可状態にすることも含むものとする。削除により、記憶手段１１における現時点での記憶可能量が増大する。
【００２１】
図３は別のデジタル放送受信機３０の機能ブロック図である。デジタル放送受信機３０の要素において、前述のデジタル放送受信機１０の要素と同一のものは同符号で指示する。記憶手段１１は、デジタル放送に含まれるサービス内容を記憶する。遅延出力手段１２は、記憶手段１１に記憶したサービス内容を読み出して再生することにより、該サービス内容をその受信時刻より遅延して出力する遅延出力を実施可能になっている。実時間出力手段１４は、現在、選択中のサービスについてのサービス内容を実時間で出力する実時間出力を実施可能になっている。有効出力選択手段１５は、遅延出力及び実時間出力の一方を有効出力として選択する。サービス切替検出手段３１は、ユーザが選択サービスを切り替えたことを検出する。遅延時間制御手段１６は、遅延出力手段１２からの出力が有効になっている期間に、ユーザが選択サービスを切り替えたときは、有効出力選択手段１５に有効出力を遅延出力から実時間出力へ切り替えさせる。
【００２２】
ユーザによる選択サービスの切替は、例えば、ユーザがデジタル放送受信機３０の操作ボタンを押すこと等により実施される。デジタル放送受信機３０の遅延出力中におけるユーザによる選択サービスの切替は、切替後の選択サービスについてはユーザは遅延出力を期待していないので、遅延時間を解消しても、ユーザに不都合になることはほとんどない。
【００２３】
デジタル放送受信機３０は、適宜、削除手段３２を装備することができる。削除手段３２は、図２の削除手段２１と同様に、遅延時間制御手段１６が、有効出力選択手段１５に有効出力を遅延出力から実時間出力へ切り替えたときは、切替前に遅延出力していたサービスに係る全サービス内容を記憶手段１１から削除する。
【００２４】
図４はデジタル放送受信方法のフローチャートである。記憶ステップＳ３６では、デジタル放送に含まれるサービス内容を記憶手段に記憶する。遅延出力ステップＳ３７では、記憶手段に記憶したサービス内容を読み出して再生することにより該サービス内容をその受信時刻より遅延して出力する遅延出力を実施する。属性内容検出ステップＳ３８では、遅延出力しているサービス内容の属性内容を検出する。Ｓ３８では、遅延出力中のサービス内容の属性内容が変化したか否かを判定し、該判定が”正”であれば、遅延時間制御ステップＳ４０へ進み、該判定が”否”であれば、該方法を終了する。Ｓ４０では、遅延出力の遅延時間を減少させるか現在選択中のサービスを実時間で出力する実時間出力へ遅延出力から切り替えるかする。なお、遅延出力を実時間出力へ切り替えることは遅延時間を０にすることを意味する。Ｓ４１では、遅延時間が０であるか否かを判定し、該判定が”正”であれば、該方法を終了し、該判定が”否”であれば、Ｓ３８へ戻る。Ｓ４１において遅延時間が０と判定されると言うことは、Ｓ４０において、（ａ）遅延出力から実時間出力への切替があったこと、又は（ｂ）遅延時間の複数回の減少処理により遅延時間が０に到達したことを意味する。
【００２５】
図５は図４のフローチャートを一部変更したフローチャートである。図４のフローチャートとの相違点についてのみのベル。管理ステップＳ４３では、遅延出力中のサービス内容の属性内容が変化したときに遅延出力の遅延時間を減少することの可否についてのユーザ設定を管理し、ユーザ設定が許可のときのみ、遅延時間制御ステップＳ４０の実行を許容する。すなわち、Ｓ４３では、ユーザ設定が、遅延時間の変更を許可している状態であるか否かを判定し、該判定が”正”であれは、Ｓ３８へ進み、”否”であれば、該方法を終了する。例えば、サービスはオーディオサービスであり、サービス内容の属性には、該サービス内容のジャンル、曲名、アーティスト名、及び／又は該サービス内容が記憶手段１１において記憶されているトラックの番号が含まれる。また、遅延時間制御ステップＳ４０ｂでは、図４の遅延時間制御ステップＳ４０の処理に加えて、遅延出力から実時間出力へ切り替えた場合には、切替前に遅延出力していたサービスに係る全サービス内容を記憶手段１１からから削除する。
【００２６】
図６は別のデジタル放送受信方法のフローチャートである。図６のフローチャートにおいて、図４のフローチャートにおけるステップと処理内容が同一のステップについては、同一の符号により指示する。記憶ステップＳ３６では、デジタル放送に含まれるサービス内容を記憶手段１１に記憶する。遅延出力ステップＳ３７では、記憶手段１１に記憶したサービス内容を読み出して再生することにより該サービス内容をその受信時刻より遅延して出力する遅延出力を実施する。サービス切替検出ステップＳ４５では、ユーザが選択サービスを切り替えたことを検出しだい、出力切替ステップＳ４６へ進む。Ｓ４６では、現在選択中のサービスを実時間で出力する実時間出力へ遅延出力から切り替える。
【００２７】
Ｓ４６では、前述の処理に加えて、切替前に遅延出力していたサービスに係る全サービス内容を記憶手段１１から削除することもできる。
【００２８】
さらに、デジタル放送受信用プログラムが用意される。該デジタル放送受信用プログラムは、図４〜図６に関連して説明したデジタル放送受信方法における各ステップをコンピュータに実行させる。
【００２９】
【実施例】
図７はＤＡＢ（Ｄｉｇｉｔａｌ  Ａｕｄｉｏ  Ｂｒｏａｄｃａｓｔｉｎｇ）用送信機５０の構成図である。送信機５０は、複数個のオーディオサービスと複数個のデータサービスとを一括したアンサンブルを送信する。音声圧縮エンコーダ５１ではＭＰＥＧ（動画像圧縮）オーディオ方式により音声圧縮が行われる。誤り訂正エンコーダ５２は音声圧縮符号化されたデータについて畳み込み方式により誤り訂正符号化を行う。同様に、誤り訂正エンコーダ５５はデータサービスについて畳み込み方式により誤り符号化を行う。時間インタリーブ器５３，５６は誤り訂正エンコーダ５２，５５で誤り訂正符号化されたデータについて時間インタリーブを行う。多重化器５４は時間インタリーブ器５３，５６で時間インタリーブされたデータを多重化する。直交周波数分割多重変調器（ＯＦＤＭ器）５７は多重化されたデータについて逆高速フーリエ変換（ＩＦＦＴ）を行う。高周波器（ＲＦ器）５８は逆高速フーリエ変換された時間領域の信号の周波数を発振器５９により送信周波数に変換する。
【００３０】
ＤＡＢの主伝送パラメータは次のとおりである。
シンボル数：７６。
伝送帯域幅：１，５３６ＭＨｚ。
搬送波数：１５３６。
搬送波の周波数間隔：１ＫＨｚ。
フレーム数：９６ｍｓ。
ＮＵＬＬシンボル長：１．２９７ｍｓ。
有効シンボル長：１ｍｓ。
ガードインターバル期間：２４６μｓ。
用途：ＳＦＮ。
使用周波数帯：３７５ＭＨｚ以下。
トータル伝送量：２．３Ｍｂｉｔ／ｓｅｃ。
【００３１】
ＤＡＢのバンドＩＩＩにおけるオーディオ放送帯は１７４〜２４０ＭＨｚであり、１．５ＭＨｚの伝送帯幅を有する複数のアンサンブルからなり、各アンサンブルは、複数個のオーディオサービス及び複数個のデータサービスを含む。なお、厳密には、アンサンブルは複数個のサービスを含み、各サービスは１個のプライマリサービス成分と０個以上のセカンダリサービス成分とを含んでいる。プライマルサービス成分はオーディオサービスであり、セカンダリサービス成分は、プライマリサービス成分は、オーディオサービス及びデータサービスである。
【００３２】
図９は図７の多重化器５４により形成される伝送フレームの構成図である。該伝送フレームは、前から順番に同期チャンネル、ＦＩＣ（Ｆａｓｔ  Ｉｎｆｏｒｍａｔｉｏｎ  Ｃｈａｎｎｅｌ）、及びＭＳＣ（Ｍａｉｎ  Ｓｅｒｖｉｃｅ  Ｃｈａｎｎｅｌ）をもつ。ＭＳＣはオーディオデータ転送用のチャンネルであり、これを構成する１シンボルはガードインターバルと有効シンボルで構成される。ガードインターバルは、マルチパス波等の遅延波を受信しても、この時間内であればこの遅延を吸収するものである。なお、シンボルデータは直交する多数のサブ搬送波を、直交位相変調（ＱＰＳＫ）、１６直交位相振幅変調（ＱＡＭ）等の方式により、変調する。
【００３３】
ＯＦＤＭ器５７（図７）は、送信データを直並列変換してから、逆離散フーリエ変換する。こうして生成される伝送波は、約１．５ＭＨｚの伝送帯域幅で、１５３６個のサブ搬送波（モードＩの場合）をもつ。
【００３４】
図８はＤＡＢ用カーラジオ７０の構成図である。受信信号は高周波器７１及びＰＬＬ回路７２によりダウンコンバージョンされて、直交復調される。その後、アナログディジタル変換されて、高速フーリエ変換器（ＦＦＴ器）７３により時間領域から周波数領域に変換して、サブ搬送波の復調を行って、データを抽出する。なお、このＦＦＴ器７３はディジタル信号プロセッサ（ＤＳＰ）で構成される。時間デインタリーブ／ビタビデコーダ７４は時間インタリーブされたデータを時間デインタリーブし、さらに畳み込み方式により誤り訂正符号化されたデータをビタビ復号する。音声圧縮デコーダ７５は音声圧縮符号化されたデータを復号して、所定のオーディオサービスについてのオーディオ信号を生成する。その後、該データは、ディジタルアナログ変換されて、増幅器７６を経由してスピーカ７７から音声として出力される。
【００３５】
時間デインタリーブ／ビタビデコーダ７４の出力は、データデコーダ７９に送られて、データサービスの文字コードに復号されてから、該データサービスの情報内容としての文章が表示器８０で表示される。なお、操作キー８２は、表示器８０の周辺部に設けられ、ユーザにより操作される。マイクロコンピュータ８１は、操作キー８２からのユーザ指示及び時間デインタリーブ／ビタビデコーダ７４等からの情報を入力され、ＰＬＬ回路７２及び時間デインタリーブ／ビタビデコーダ７４等へ制御信号を送り、ＲＦ器７１におけるダウンコンバージョン対象の高周波の選択や時間デインタリーブ／ビタビデコーダ７４からの出力オーディオチャンネルの選択等を行う。
【００３６】
記憶手段８４は、例えば、ＩＣメモリ、ＤＶＤ（ディジタルビデオディスク）、ハードディスク、又はＭＤ（ミニディスク）等から構成される。記憶手段８４は、ＲＦ器７１、ＦＦＴ器７３、及び時間デインタリーブ／ビタビデコーダ７４のどれかの出力信号を記憶するようになっている。記憶手段８４は、また、記憶信号を、適宜、該記憶信号の取り込み個所としてのＲＦ器７１、ＦＦＴ器７３、及び時間デインタリーブ／ビタビデコーダ７４の出力部へ戻し入れ可能に、すなわち、ＦＦＴ器７３、時間デインタリーブ／ビタビデコーダ７４、及び音声圧縮デコーダ７５の入力部へ供給可能になっている。ユーザは、記憶手段８４の記憶データを再生することにより、オーディオサービスを実際の放送時刻に対して所定時間、遅延した時刻に、聞くことが可能になる。記憶手段８４は、時間デインタリーブ／ビタビデコーダ７４の出力を取り込んで記憶し、かつ再生信号を時間デインタリーブ／ビタビデコーダ７４の出力部へ戻す場合には、選択アンサンブルに含まれる全部の又は所定の複数個数のオーディオサービスのオーディオ信号を記憶するために、記憶手段８４は複数個、設けられてもよい。マイクロコンピュータ８１は、操作キー８２を介するユーザからの遅延出力指示に対して、記憶手段８４からデータを読み出して、対応のサービス内容をスピーカ７７から出力、すなわち、実際の受信時刻より所定時間、遅延して出力する遅延出力を行う。
【００３７】
図１０はＭＰ３ＩＤ３ｖ１．１タグの構造図である。記憶手段８４は例えばＭＰ３ＩＤ３ｖ１．１タグ形式でサービスが記憶され、該記憶形式では、サービス内容自体を記憶するＭＰ３オーディオ部の他に、該サービス内容に関連付けて該サービス内容の属性としてのＴＡＧ名、曲名、アーティスト名、アルバム名、製作年度、コメント、トラック番号、及び音楽ジャンルが書き込まれる。
【００３８】
図１１は遅延時間制御の概念図である。実時間出力は、現在選択中のサービスが、実時間、すなわち受信時刻にスピーカ等の音声出力手段から出力される。これに対して、遅延出力は、現在選択中のサービスが記憶手段８４に記憶され、受信時刻から所定時間Ｔ１（Ｔ１は記憶手段１１の記憶容量に関係する。）内であれば所定時間Ｔ２（Ｔ２≦Ｔ１）前からのサービス内容を、それに係るデータを記憶手段８４から読み出して再生することにより、実時間から遅延して、音声出力手段から出力される。或るオーディオサービスにおいて、曲Ａ、曲Ｂ、曲Ｃ、曲Ｄ・・・が連続して放送されていると想定する。Ａ，Ｂ，Ｃ，Ｄ，・・・は曲名を意味するものとする。曲名はサービス内容の属性内容と仮定し、ユーザは該属性内容については遅延時間解消について許可することを予め設定していると仮定する。図１１において、太い黒の横線は、実時間出力と遅延出力との内で出力が有効になっている方を示している。上側の太い黒横線は実時間出力が実施されていることを意味し、下側の太い黒横線は遅延時間出力が実施されることを意味する。ユーザは、曲Ａを実時間出力で聞いている途中で、曲Ａの最初から聞きたいと考え、時刻ｔにおいて、デジタルオーディオ放送受信機の所定の操作キーから遅延出力を指示する。この場合、遅延出力は、実時間に対して時間Ｔ２、遅延している。遅延出力において、曲Ａが終了すると、遅延出力における属性内容としての曲名は変化するので、有効出力は遅延出力から実時間出力へ自動的に切り替えられ、遅延時間は解消される。また、この切替に伴い、遅延出力用メモリから曲Ａのデータが削除されて、該メモリの残り記憶可能量が増大する。
【００３９】
図１１では、属性として曲名を例に挙げて説明したが、属性としてアーティスト名、ジャンル、及びトラック番号等が選択された場合にも、同様である。すなわち、遅延出力されているサービス内容について、そのアーティスト名又はジャンルが変化したのに伴い、遅延出力から実時間出力への切替や遅延時間の段階的減少が実施されたり、切替前に遅延出力されていたサービス内容のアーティスト名又はジャンルと同一のアーティスト名又はジャンルのサービス内容のデータが記憶手段から削除される。
【００４０】
【発明の効果】
本発明によれば、サービス内容の遅延出力可能なデジタル放送受信機において、遅延出力中に、ユーザに遅延時間解消について明示的な操作を要求することなく、また、ユーザに不都合となることなく、自動的に実時間出力遅延時間が解消することができる。
【図面の簡単な説明】
【図１】デジタル放送受信機の機能ブロック図である。
【図２】図１のデジタル放送受信機に機能を追加したものである。
【図３】別のデジタル放送受信機の機能ブロック図である。
【図４】デジタル放送受信方法のフローチャートである。
【図５】図４のフローチャートを一部変更したフローチャートである。
【図６】別のデジタル放送受信方法のフローチャートである。
【図７】ＤＡＢ用送信機の構成図である。
【図８】ＤＡＢ用カーラジオの構成図である。
【図９】図７の多重化器により形成される伝送フレームの構成図である。
【図１０】ＭＰ３ＩＤ３ｖ１．１タグの構造図である。
【図１１】遅延時間制御の概念図である。
【符号の説明】
１０    デジタル放送受信機
１１    記憶手段
１２    遅延出力手段
１３    属性内容検出手段
１４    実時間出力手段
１５    有効出力選択手段
１６    遅延時間制御手段
２０    管理手段
２１    削除手段
３０    デジタル放送受信機
３１    サービス切替検出手段
３２    削除手段
【図１】
2004235933.tif 000003
【図２】
2004235933.tif 000004
【図３】
2004235933.tif 000005
【図４】
2004235933.tif 000006
【図５】
2004235933.tif 000007
【図６】
2004235933.tif 000008
【図７】
2004235933.tif 000009
【図８】
2004235933.tif 000010
【図９】
2004235933.tif 000011
【図１０】
2004235933.tif 000012
【図１１】
2004235933.tif 000013